(57)【要約】【課題】表示領域における検出領域の位置及び検出タイミングを通知する表示装置を提供する。【解決手段】実施形態によれば、表示装置は、表示部と、記憶部と、制御部とを備えている。前記表示部は、１以上の検出部を備えている。前記記憶部は、前記検出部が前記表示部の表示領域内のどの領域と対向しているのかを示すマップ情報を記憶する。前記制御部は、前記検出部のうち１以上の利用可能な検出部を判別し、前記マップ情報に基づいて、前記表示領域において、前記利用可能な検出部と対向する領域を表示するように制御する。【選択図】図５
2017097295.tif 000002
【特許請求の範囲】
【請求項１】
１以上の検出部を備えている表示部と、
前記検出部が前記表示部の表示領域内のどの領域と対向しているのかを示すマップ情報を記憶する記憶部と、
前記検出部のうち１以上の利用可能な検出部を判別し、前記マップ情報に基づいて、前記表示領域において、前記利用可能な検出部と対向する領域を表示するように制御する制御部と、
を備える、表示装置。
【請求項２】
前記制御部は、前記表示領域において、前記利用可能な検出部と対向する領域に目印を表示するように制御する、請求項１記載の表示装置。
【請求項３】
前記制御部は、前記表示領域において、前記利用可能な検出部と対向する領域とは異なる領域に情報を表示するように制御する、請求項１記載の表示装置。
【請求項４】
前記利用可能な検出部のうち利用する検出部の選択を入力する入力部を備える、請求項１記載の表示装置。
【請求項５】
前記表示部は、第１の検出部及び第２の検出部を異なる位置に備え、
前記制御部は、前記表示領域に表示する情報の領域に応じて、前記第１の検出部または前記第２の検出部の何れかを前記利用可能な検出部と判別する、請求項１記載の表示装置。
【発明の詳細な説明】
【技術分野】
【０００１】
本発明の実施形態は、表示装置に関する。
【背景技術】
【０００２】
低温ポリシリコンＴＦＴ（Ｔｈｉｎ  Ｆｉｌｍ  Ｔｒａｎｓｉｓｔｏｒ）でのシステムオングラス（Ｓｙｓｔｅｍ  Ｏｎ  Ｇｌａｓｓ）技術が開発されている。この技術により、液晶パネル内にカード認証や指紋認証等の認証デバイスを内蔵した装置が開発されている。
【先行技術文献】
【特許文献】
【０００３】
【特許文献１】米国特許出願公開第２００６／０００７２２２号明細書
【発明の概要】
【発明が解決しようとする課題】
【０００４】
しかしながら、ユーザは、液晶パネルを見たとしても、認証デバイスを確認することはできない。そのため、ユーザは、液晶パネルのどの領域で、いつ認証可能なのかを把握することは難しい。
【０００５】
本発明の実施形態が解決しようとする課題は、表示領域における検出領域の位置及び検出タイミングを通知する表示装置を提供することにある。
【課題を解決するための手段】
【０００６】
実施形態によれば、表示装置は、表示部と、記憶部と、制御部とを備えている。前記表示部は、１以上の検出部を備えている。前記記憶部は、前記検出部が前記表示部の表示領域内のどの領域と対向しているのかを示すマップ情報を記憶する。前記制御部は、前記検出部のうち１以上の利用可能な検出部を判別し、前記マップ情報に基づいて、前記表示領域において、前記利用可能な検出部と対向する領域を表示するように制御する。
【図面の簡単な説明】
【０００７】
【図１】本実施形態に係るＭＦＰの一例となるブロック図。
【図２】本実施形態に係るマップ情報を説明するための図。
【図３】本実施形態に係る認証シーケンスを示すフローチャート。
【図４】本実施形態に係る認証画面の表示シーケンスを示すフローチャート。
【図５】本実施形態に係る認証画面の図。
【図６】本実施形態に係る認証中画面の図。
【発明を実施するための形態】
【０００８】
以下、実施形態について、図面を参照して説明する。  
ＭＦＰ（Ｍｕｌｔｉ−Ｆｕｎｃｔｉｏｎａｌ  Ｐｅｒｉｐｈｅｒａｌ）１の構成について説明する。  
図１は、ＭＦＰ１の一例となるブロック図である。なお、表示装置の一例としてＭＦＰ１を用いるが、表示装置は、ＭＦＰ１以外の据置型の装置であっても携帯型の端末であってもよい。
【０００９】
ＭＦＰ１は、制御部１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、スキャナ部１３、プリント部１４、表示部１５、記憶部１６及び入力部１７を備えている。ＭＦＰ１を構成する各部は、システムバスを介して互いに接続されている。
【００１０】
制御部１０は、ＭＦＰ１の各部を制御する。制御部１０は、ＣＰＵ（Ｃｅｎｔｒａｌ  Ｐｒｏｃｅｓｓｉｎｇ  Ｕｎｉｔ）を備えている。制御部１０は、認証を処理する認証部１０１を備えている。制御部１０は、認証部１０１による認証が成功か失敗かを判断する判断部１０２を備えている。
【００１１】
ＲＯＭ１１は、ＭＦＰ１が動作するために必要な種々の制御プログラムを記憶する。  
ＲＡＭ１２は、制御プログラムの実行時に発生するデータを一時的に記憶するバッファメモリである。  
スキャナ部１３は、原稿を読み取り、原稿の画像データを取り込む。  
プリント部１４は、画像データを用紙に印刷する。
【００１２】
表示部１５は、液晶パネル等で構成された表示領域を備える。表示部１５は、指紋センサ１５１、非接触カードリーダ１５２及びバーコードリーダ１５３を備えている。指紋センサ１５１、非接触カードリーダ１５２及びバーコードリーダ１５３は、認証デバイス（検出部）の例である。認証デバイスは、表示部１５の表示領域へのユーザの接触を必要とする認証方式であっても、ユーザの接触を必要としない認証方式であってもよい。
【００１３】
指紋センサ１５１は、表示部１５の表示領域へのユーザの接触を必要とする認証方式の認証デバイスである。指紋センサ１５１は、指紋を検出して指紋の情報を取得する。指紋センサ１５１は、複数のフォトダイオード及びレンズの複合によるカメラ装置である。  
非接触カードリーダ１５２は、表示部１５の表示領域へのユーザの接触を必要としない認証方式の認証デバイスである。非接触カードリーダ１５２は、例えばＩＣ（Ｉｎｔｅｇｒａｔｅｄ  Ｃｉｒｃｕｉｔ）カードを検出して、ＩＣカードに格納されている情報を取得する。非接触カードリーダ１５２は、ＩＣカードと通信するためのアンテナを備える装置である。  
バーコードリーダ１５３は、表示部１５の表示領域へのユーザの接触を必要としない認証方式の認証デバイスである。バーコードリーダ１５３は、媒体に付されたバーコードを検出して、バーコードに格納されている情報を取得する。バーコードリーダ１５３は、複数のフォトダイオード及びレンズの複合によるカメラ装置である。
【００１４】
上述の認証デバイスは、ＭＦＰ１内において表示部１５の表示領域と対向する位置にある。一例として、認証デバイスは、システムオングラス等の技術により液晶パネルに内蔵されている。他の例として、認証デバイスは、液晶と別体で設けられている。認証デバイスは、表示部１５の表示領域を介して対象物を検出し、対象物から情報を取得する。複数の認証デバイスは、それぞれ、表示部１５の異なる位置に設けられている。複数の認証デバイスそれぞれの位置は、これらが搭載される装置の型またはＯＳ（Ｏｐｅｒａｔｉｎｇ  Ｓｙｓｔｅｍ）などによって異なる。
【００１５】
なお、認証デバイスは、静脈または網膜などを検出するカメラ装置であっても、タッチパネルまたは画像認識によるサイン認識装置であってもよく、限定されない。表示部１５は、少なくとも１つの認証デバイスを備えていればよい。
【００１６】
表示部１５は、さらにフィードバック部１５４を備えている。フィードバック部１５４は、例えばアクチュエータである。フィードバック部１５４は、表示部１５の表示領域でのユーザの接触に応答して振動する。ユーザの接触は、例えば、キーの押下（クリック）である。表示部１５の表示領域は、フィードバック部１５４の振動に応じて、フィードバック応答をユーザに与える。これにより、ユーザは、視覚に頼ることなく、触覚的に押下の成否を認識することができる。なお、フィードバック部１５４は、表示部１５の表示領域と接しているユーザに対して触覚的なフィードバックを与えられればよく、アクチュエータ以外で構成されていてもよい。
【００１７】
記憶部１６は、不揮発性の記憶媒体である。記憶部１６は、例えばＨＤＤ（Ｈａｒｄ  Ｄｉｓｋ  Ｄｒｉｖｅ）である。記憶部１６は、制御部１０に実行させる各種プログラムを記憶している。記憶部１６は、マップ情報１６１及び認証情報を記憶している。  
マップ情報１６１は、各認証デバイスが表示部１５の表示領域内のどの領域と対向しているのかを示す。つまり、マップ情報１６１は、表示部１５の表示領域における各認証デバイスと対向する領域の位置の情報を備えている。マップ情報１６１は、ビットマップであっても、ＸＭＬ（Ｅｘｔｅｎｓｉｂｌｅ  Ｍａｒｋｕｐ  Ｌａｎｇｕａｇｅ）などの情報であってもよく限定されない。  
認証情報１６２は、ＭＦＰ１のユーザを認証するための情報である。認証情報１６２は、認証部１０１によって認証デバイスで取得された情報と照合される。
【００１８】
入力部１７は、ユーザがＭＦＰ１の処理に対する設定を入力するスイッチである。入力部１７は、押下式のスイッチであってもタッチパネルであってもよい。
【００１９】
次に、マップ情報１６１の一例について説明する。  
図２は、マップ情報１６１を説明するための図である。  
図２は、表示部１５の表示領域１５ａにおける各認証デバイスと対向する領域の位置を示している。
【００２０】
指紋センサ領域１５１ａは、表示領域１５ａにおいて指紋センサ１５１と対向する領域である。指紋センサ領域１５１ａは、指紋センサ１５１がユーザの指紋を検出可能な領域である。非接触カードリーダ領域１５２ａは、表示領域１５ａにおいて非接触カードリーダ１５２と対向する領域である。非接触カードリーダ領域１５２ａは、非接触カードリーダ１５２がＩＣカードを検出可能な領域である。バーコードリーダ領域１５３ａは、表示領域１５ａにおいてバーコードリーダ１５３と対向する領域である。バーコードリーダ領域１５３ａは、バーコードリーダ１５３がバーコードを検出可能な領域である。
【００２１】
マップ情報１６１は、表示領域１５ａにおける指紋センサ領域１５１ａの位置の情報を備えている。同様に、マップ情報１６１は、表示領域１５ａにおける非接触カードリーダ領域１５２ａの位置の情報を備えている。マップ情報１６１は、表示領域１５ａにおけるバーコードリーダ領域１５３ａの位置の情報を備えている。
【００２２】
次に、ＭＦＰ１における認証シーケンスについて説明する。  
図３は、認証シーケンスを示すフローチャートである。  
制御部１０は、表示領域１５ａに認証画面を表示するように制御する（Ａｃｔ１０１）。Ａｃｔ１０１では、制御部１０は、ＭＦＰ１を使用するユーザの認証を必要とするタイミングで認証画面を表示するように制御する。例えば、認証画面は、ＭＦＰ１を起動させたときのログイン待ち画面である。認証画面の表示シーケンスについては後述する。
【００２３】
制御部１０は、認証画面において認証操作が行われたか否かを判断する（Ａｃｔ１０２）。Ａｃｔ１０２では、制御部１０は、認証デバイスによる対象物の検出及び対象物からの情報の取得に基づいて、ユーザによる認証操作が行われたと判断する。
【００２４】
認証操作が行われていない場合（Ａｃｔ１０２、Ｎｏ）、制御部１０は、認証操作が行われるまで待機する。ここで、認証画面が表示領域１５ａに表示された後であって、認証操作が行われるまでの間を認証待ち状態というものとする。  
認証操作が行われた場合（Ａｃｔ１０２、Ｙｅｓ）、制御部１０は、表示領域１５ａに認証中画面を表示するように制御する（Ａｃｔ１０３）。認証中画面は、制御部１０が認証処理中であることを示す画面である。
【００２５】
制御部１０（認証部１０１）は、認証処理する（Ａｃｔ１０４）。Ａｃｔ１０４では、制御部１０は、認証デバイスで取得された情報を認証情報１６２と照合する。  
制御部１０（判断部１０２）は、認証が成功したか否かを判断する（Ａｃｔ１０５）。Ａｃｔ１０５では、認証デバイスで取得された情報が認証情報１６２と一致する場合、制御部１０は、認証が成功したと判断する。他方、認証デバイスで取得された情報が認証情報１６２と一致しない場合、制御部１０は、認証が失敗したと判断する。制御部１０は、認証の成功または失敗を判断することで認証処理を完了する。
【００２６】
認証が成功した場合（Ａｃｔ１０５、Ｙｅｓ）、制御部１０は、表示領域１５ａに認証成功のメッセージを表示するように制御する（Ａｃｔ１０６）。さらに、制御部１０は、表示領域１５ａに操作画面を表示するように制御する。  
認証が失敗した場合（Ａｃｔ１０５、Ｎｏ）、制御部１０は、表示領域１５ａに表示部１５に認証失敗のメッセージを表示するように制御する（Ａｃｔ１０７）。さらに、制御部１０は、再び認証待ち状態に遷移するために、Ａｃｔ１０１に戻って再び表示領域１５ａに認証画面を表示するように制御する。
【００２７】
次に、認証画面の表示シーケンスについて説明する。  
図４は、認証画面の表示シーケンスを示すフローチャートである。  
制御部１０は、認証デバイスのうち１以上の利用可能な認証デバイスを判別する（Ａｃｔ２０１）。Ａｃｔ２０１では、制御部１０は、ＭＦＰ１の状態に応じて利用可能な認証デバイスを判別する。例えば、ＭＦＰ１の状態は、ＭＦＰ１を起動させたときのログイン待ち状態である。ＭＦＰ１がログイン待ち状態にある場合、制御部１０は、予め定められているログイン時に利用可能な認証デバイスを判別する。なお、利用可能な認証デバイスは、アクティブ状態にある。利用不可能な認証デバイスは、非アクティブ状態にある。
【００２８】
制御部１０は、記憶部１６からマップ情報１６１を取得するように制御する（Ａｃｔ２０２）。  
制御部１０は、表示領域１５ａに基本画面を表示するように制御する（Ａｃｔ２０３）。基本画面は、認証操作を要求するメッセージを含む画面である。
【００２９】
制御部１０は、マップ情報１６１に基づいて、表示領域１５ａにおいて、利用可能な認証デバイスと対向する領域を表示するように制御する（Ａｃｔ２０４）。Ａｃｔ２０４では、制御部１０は、表示領域１５ａにおいて、利用可能な認証デバイスと対向する領域に目印を表示するように制御してもよい。例えば、制御部１０は、基本画面上に目印を描画するように制御する。例えば、目印は、利用可能な認証デバイスに関連するアイコンである。
【００３０】
ユーザは、表示領域内のどの領域に何を翳せばいいのかを目印を頼りにして容易に把握することができる。
【００３１】
次に、図３を用いて説明した認証シーケンスにおいて表示領域１５ａに表示される画面について説明する。  
図５は、認証画面１５ｂの一例となる図である。ここでは、利用可能な認証デバイスが指紋センサ１５１、非接触カードリーダ１５２及びバーコードリーダ１５３であるとする。制御部１０は、認証操作を要求するメッセージを含む基本画面を認証画面１５ｂとして表示領域１５ａに表示するように制御する。
【００３２】
制御部１０は、認証画面１５ｂにおいて、指紋センサ１５１と対向する領域に指紋アイコン１５１ｂを表示するように制御する。制御部１０は、認証画面１５ｂにおいて、非接触カードリーダ１５２と対向する領域に非接触カードアイコン１５２ｂを表示するように制御する。制御部１０は、認証画面１５ｂにおいて、バーコードリーダ１５３と対向する領域にバーコードアイコン１５３ｂを表示するように制御する。
【００３３】
図６は、認証中画面１５ｃの一例となる図である。ここでは、ユーザが非接触カードリーダ１５２にＩＣカードを翳して認証操作を行ったものとする。
認証中画面１５ｃは、指紋アイコン１５１ｂ、非接触カードアイコン１５２ｂ及びバーコードアイコン１５３ｂに加えて、認証処理中であることを示すメッセージ１５ｄを備えている。
【００３４】
制御部１０は、マップ情報１６１に基づいて、表示領域１５ａにおいて、利用可能な認証デバイスと対向する領域とは異なる領域に情報を表示するように制御する。図６を参照すると、メッセージ１５ｄは、指紋アイコン１５１ｂ、非接触カードアイコン１５２ｂ及びバーコードアイコン１５３ｂそれぞれの領域とは異なる領域に表示されている。そのため、メッセージ１５ｄは各アイコンと重複しない。
ユーザは、メッセージ１５ｄの内容を容易に把握することができる。
【００３５】
なお、制御部１０は、表示領域１５ａにおいて、利用中の認証デバイスの領域と、利用中の認証デバイス以外の認証デバイスの領域とで異なる表示をするように制御してもよい。例えば、制御部１０は、利用中の認証デバイスの領域を、利用中の認証デバイス以外の認証デバイスの領域よりも強調して表示するように制御する。例えば、制御部１０は、利用中の認証デバイスの領域の背景を白色で表示し、利用中の認証デバイス以外の認証デバイスの領域の背景を黒色で表示するように制御する。  
ユーザは、利用中の認証デバイスがどの認証デバイスであるのかを容易に把握することができる。
【００３６】
本実施形態によれば、ＭＦＰ１は、表示領域における検出領域の位置及び検出タイミングを通知することができる。そのため、ユーザは、認証が必要なタイミングにおいて、どの位置に何をかざすことで認証が可能なのかを容易に把握することができる。
【００３７】
次に、本実施形態のいくつかの変形例について説明する。  
１つ目の変形例について説明する。Ａｃｔ１０２で制御部１０が判断する認証操作に関して、制御部１０は、利用可能な認証デバイスのうち利用する認証デバイスの選択の入力を受け付けてもよい。ユーザは、入力部１７を用いて前記選択を入力する。制御部１０は、入力部１７でのユーザの入力に基づいて、選択された認証デバイス以外の認証デバイスを利用可能な状態から利用不可能な状態へ遷移させるように制御する。
【００３８】
この例によれば、ユーザは、意図しない認証デバイスによる認証を回避することができる。意図しない認証デバイスによる認証の一例を説明する。ここでは、制御部１０が非接触カードリーダ及び網膜センサを利用可能な認証デバイスとして判別したとする。ユーザが非接触カードリーダの利用を望んでいるとしても、網膜センサは、ＭＦＰ１の前に立っているユーザの網膜を検出する。ユーザが利用する認証デバイスとして非接触カードリーダを選択すれば、網膜センサは、利用可能な状態から利用不可能な状態へ遷移し、ユーザの網膜を検出することはない。そのため、ユーザは、非接触カードリーダを利用しつつ、意図しない網膜センサによる認証を回避することができる。
【００３９】
２つ目の変形例について説明する。表示部１５は、同種の２以上の認証デバイスを異なる位置に備えていてもよい。同種は、認証デバイスによって検出される対象物が同一であることを意味する。例えば、表示部１５は、２以上の指紋センサを備える。
【００４０】
上述のＡｃｔ２０１において、制御部１０は、表示領域１５ａに表示する情報の領域に応じて同種の２以上の認証デバイスのうちの何れかを利用可能な認証デバイスと判別する。制御部１０は一例として以下のように判別する。制御部１０は、マップ情報１６１に基づいて、同種の２以上の認証デバイスそれぞれを利用可能な状態または利用不可能な状態の何れかに制御する。制御部１０は、同種の２以上の認証デバイスのうち、表示領域１５ａに表示する情報の領域とは異なる領域と対向する認証デバイスを利用可能な状態に制御する。制御部１０は、同種の２以上の認証デバイスのうち、表示領域１５ａに表示する情報の領域と対向する認証デバイスを利用不可能な状態に制御する。これにより、制御部１０は、同種の２以上の認証デバイスそれぞれを利用可能な認証デバイスまたは利用不可能な認証デバイスと判別する。なお、この変形例は、異なる種類の２以上の認証デバイスを備えるＭＦＰ１にも適用できる。
【００４１】
この例によれば、表示領域１５ａに表示される情報は、検出部の領域と重複しない。ユーザは、表示領域１５ａに表示される情報の内容を容易に把握することができるだけでなく、表示領域１５ａのどの領域に何を翳せばいいのかを容易に把握することができる。
【００４２】
３つ目の変形例について説明する。ＭＦＰ１に搭載されている各認証デバイスは、ライセンスによって使用許諾の有効または無効が設定されていてもよい、この例では、制御部１０は、ライセンスキーが入力された認証デバイスを有効な認証デバイスと判別する。制御部１０は、ライセンスキーが入力されていない認証デバイスを無効な認証デバイスと判別する。制御部１０は、有効な認証デバイスを認証処理に利用することができるが、無効な認証デバイスを認証処理に利用することはできない。記憶部１６は、使用許諾された認証デバイスの情報をライセンス情報として記憶する。
【００４３】
上述のＡｃｔ２０１において、制御部１０は、有効な認証デバイスの中から利用可能な認証デバイスを判別する。  
ユーザは、好みに合わせてＭＦＰ１に搭載されている認証デバイスの中から有効な認証デバイスを設定することができる。
【００４４】
４つ目の変形例について説明する。制御部１０は、認証待ち状態及び認証中に、ユーザの接触を必要とするアクティブ状態の認証デバイスに対応する領域において、キーの押下を認識しないように処理してもよい。ここで再び図２を参照する。図２に示すように、制御部１０は、認証待ち状態及び認証中に、表示領域１５ａに押下不認識領域１５１ｃを定義する。押下不認識領域１５１ｃは、少なくとも指紋センサ領域１５１ａを含む。押下不認識領域１５１ｃは、指紋センサ領域１５１ａを拡張した領域であってもよい。
【００４５】
制御部１０は、認証待ち状態及び認証中に、表示領域１５ａでのユーザによるキーの押下を以下のように処理する。制御部１０は、認証待ち状態及び認証中に表示領域１５ａでのユーザによるキーの押下を検出すると、押下されたキーの位置を検出する。制御部１０は、押下されたキーの位置が押下不認識領域１５１ｃ内か否かを判断する。押下されたキーの位置が押下不認識領域１５１ｃ内であれば、制御部１０は、キーの押下を認識しないように処理する。つまり、制御部１０は、押下されたキーに対応する処理を行わない。  
他方、押下されたキーの位置が押下不認識領域１５１ｃ内でなければ、制御部１０は、キーの押下を認識し、押下されたキーに対応する処理を行う。
【００４６】
次に、押下不認識領域１５１ｃの定義のいくつかの例について説明する。１つ目の例では、制御部１０は、指紋センサ１５１に関するマップ情報１６１（指紋センサ領域１５１ａの位置の情報）を用いて押下不認識領域１５１ｃを定義する。これにより、制御部１０は、指紋センサ領域１５１ａに対応する押下不認識領域１５１ｃを得ることができる。制御部１０は、指紋センサ領域１５１ａを算術的に拡張した押下不認識領域１５１ｃを得ることもできる。この場合、制御部１０は、例えばバイリニア法を用いて指紋センサ領域１５１ａを数センチ広くする。
【００４７】
２つ目の例では、記憶部１６は、マップ情報１６１として押下不認識領域１５１ｃの位置の情報を記憶していてもよい。押下不認識領域１５１ｃは、指紋センサ領域１５１ａに対応した領域であっても、指紋センサ領域１５１ａを拡張した領域であってもよい。制御部１０は、認証待ち状態及び認証中に、記憶部１６から読み出した押下不認識領域１５１ｃの位置の情報を用いる。
【００４８】
この例によれば、制御部１０は、指紋センサ領域１５１ａにおいて指紋（認証操作）を認識するが、押下を認識しない。また、ユーザが指紋認証に際して指紋センサ領域１５１ａ近傍のキーを意図せずに押下したとしても、制御部１０は、指紋センサ領域１５１ａ近傍の押下を認識しない。そのため認証操作に関連するユーザの意図しない操作ミスは低減する。
【００４９】
なお、記憶部１６は、押下不認識領域１５１ｃの位置の情報に代えて、マップ情報１６１として押下認識領域の位置の情報を記憶していてもよい。押下認識領域は、認証待ち状態及び認証中にユーザによるキーの押下を認識する領域である。押下認識領域は、少なくとも指紋センサ領域１５１ａを除いた表示領域１５ａの領域である。この場合、押下されたキーの位置が押下認識領域内であれば、制御部１０は、キーの押下を認識し、押下されたキーに対応する処理を行う。他方、押下されたキーの位置が押下認識領域内でなければ、制御部１０は、押下されたキーに対応する処理を行わない。
【００５０】
ここでは、指紋センサ１５１を例にして説明したがこれに限られない。制御部１０は、指紋センサ１５１以外の表示領域１５ａへのユーザの接触を必要とする認証方式の認証デバイスに対しても同様に制御することができる。
【００５１】
５つ目の変形例について説明する。制御部１０は、認証待ち状態及び認証中に、ユーザの接触を必要としないアクティブ状態の認証デバイスに対応する領域において、キーの押下を認識しないように処理してもよい。ここで再び図２を参照する。図２に示すように、制御部１０は、認証待ち状態及び認証中に、表示領域１５ａに押下不認識領域１５２ｃを定義する。押下不認識領域１５２ｃは、少なくとも非接触カードリーダ領域１５２ａを含む。押下不認識領域１５２ｃは、非接触カードリーダ１５２を拡張した領域であってもよい。同様に、制御部１０は、認証待ち状態及び認証中に、表示領域１５ａに押下不認識領域１５３ｃを定義する。押下不認識領域１５３ｃは、少なくともバーコードリーダ領域１５３ａを含む。押下不認識領域１５３ｃは、バーコードリーダ１５３を拡張した領域であってもよい。
【００５２】
制御部１０は、認証待ち状態及び認証中に、表示領域１５ａでのユーザによるキーの押下を以下のように処理する。制御部１０は、認証待ち状態及び認証中に表示領域１５ａでのユーザによるキーの押下を検出すると、押下されたキーの位置を検出する。制御部１０は、押下されたキーの位置が押下不認識領域１５２ｃ内か否かを判断する。押下されたキーの位置が押下不認識領域１５２ｃ内であれば、制御部１０は、キーの押下を認識しないように処理する。つまり、制御部１０は、押下されたキーに対応する処理を行わない。  
他方、押下されたキーの位置が押下不認識領域１５２ｃ内でなければ、制御部１０は、キーの押下を認識し、押下されたキーに対応する処理を行う。
なお、制御部１０は、上記同様に、押下されたキーの位置が押下不認識領域１５３ｃ内か否かを判断する。
【００５３】
次に、押下不認識領域１５２ｃの定義のいくつかの例について説明する。１つ目の例では、制御部１０は、非接触カードリーダ１５２に関するマップ情報１６１（非接触カードリーダ領域１５２ａの位置の情報）を用いて押下不認識領域１５２ｃを定義する。これにより、制御部１０は、非接触カードリーダ領域１５２ａに対応する押下不認識領域１５２ｃを得ることができる。制御部１０は、非接触カードリーダ領域１５２ａを算術的に拡張した押下不認識領域１５２ｃを得ることもできる。この場合、制御部１０は、例えばバイリニア法を用いて非接触カードリーダ領域１５２ａを数センチ広くする。  
同様に、制御部１０は、バーコードリーダ１５３に関するマップ情報１６１（バーコードリーダ領域１５５ａの位置の情報）を用いて押下不認識領域１５３ｃを定義する。
【００５４】
２つ目の例では、記憶部１６は、マップ情報１６１として押下不認識領域１５２ｃの位置の情報を記憶していてもよい。押下不認識領域１５２ｃは、非接触カードリーダ領域１５２ａに対応した領域であっても、非接触カードリーダ領域１５２ａを拡張した領域であってもよい。制御部１０は、認証待ち状態及び認証中に、記憶部１６から読み出した押下不認識領域１５２ｃの位置の情報を用いる。
同様に、記憶部１６は、マップ情報１６１として押下不認識領域１５３ｃの位置の情報を記憶していてもよい。押下不認識領域１５３ｃは、バーコードリーダ領域１５３ａに対応した領域であっても、バーコードリーダ領域１５３ａを拡張した領域であってもよい。制御部１０は、認証待ち状態及び認証中に、記憶部１６から読み出した押下不認識領域１５３ｃの位置の情報を用いる。
【００５５】
この例によれば、ユーザが表示領域１５ａにＩＣカードを翳す際に非接触カードリーダ領域１５２ａまたはその近傍を意図せずに押下したとしても、制御部１０は押下を認識しない。そのため、認証操作に関連するユーザの意図しない操作ミスは低減する。ユーザが表示領域１５ａにバーコードを翳す際も同様である。
【００５６】
なお、記憶部１６は、押下不認識領域１５２ｃの位置の情報に代えて、非接触カードリーダ１５２に関連する押下認識領域の位置の情報を記憶していてもよい。非接触カードリーダ１５２に関連する押下認識領域は、認証待ち状態及び認証中にユーザによるキーの押下を認識する領域である。非接触カードリーダ１５２に関連する押下認識領域は、少なくとも非接触カードリーダ領域１５２ａを除いた表示領域１５ａの領域である。この場合、押下されたキーの位置が非接触カードリーダ１５２に関連する押下認識領域内であれば、制御部１０は、キーの押下を認識し、押下されたキーに対応する処理を行う。他方、押下されたキーの位置が非接触カードリーダ１５２に関連する押下認識領域内でなければ、制御部１０は、押下されたキーに対応する処理を行わない。同様に、記憶部１６は、押下不認識領域１５３ｃの位置の情報に代えて、バーコードリーダ１５３に関連する押下認識領域の位置の情報を記憶していてもよい。
【００５７】
ここでは、非接触カードリーダ１５２及びバーコードリーダ１５３を例にして説明したがこれに限られない。制御部１０は、これら以外の表示領域１５ａへのユーザの接触を必要としない認証方式の認証デバイスに対しても同様に制御することができる。
【００５８】
６つ目の変形例について説明する。表示部１５は、認証処理中においてフィードバック応答を停止してもよい。制御部１０は、認証デバイスからの情報の取得に基づいて、認証処理中におけるフィードバック部１５４の動作を停止するように制御する。例えば認証操作が表示領域１５ａへのユーザの接触を必要とするものであっても、表示部１５は、認証処理中にユーザへフィードバック応答を与えることはない。
【００５９】
表示部１５は、認証処理中に、表示領域１５ａでの通常の押下に対するフィードバック応答とは異なるパターンのフィードバック応答をユーザに与えてもよい。例えば、制御部１０は、認証処理中と表示領域１５ａでの通常の押下時とで、アクチュエータによる振動のピッチを変える。表示部１５は、認証処理の完了時においても、表示領域１５ａでの通常の押下に対するフィードバック応答とは異なるパターンのフィードバック応答をユーザに与えてもよい。なお、認証処理の完了時のフィードバック応答は、認証処理中のフィードバック応答と同じであっても異なっていてもよい。
【００６０】
この例によれば、ユーザは、ＭＦＰ１が認証処理を行っているのか否かを触覚的に認識することができる。
【００６１】
なお、本実施形態では、制御部１０による認証処理について説明したが、制御部１０は、認証デバイスを介して認証のための情報以外の情報を対象物から取得してもよい。  
なお、本実施形態は、制御部１０（コンピュータ）に実行させるためのプログラムによって実現されてもよい。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…ＭＦＰ、１０…制御部、１１…ＲＯＭ、１２…ＲＡＭ、１３…スキャナ部、１４…プリント部、１５…表示部、１５ａ…表示領域、１５ｂ…認証画面、１５ｃ…認証中画面、１５ｄ…メッセージ、１６…記憶部、１７…入力部、１０１…認証部、１０２…判断部、１５１…指紋センサ、１５１ａ…指紋センサ領域、１５１ｂ…指紋アイコン、１５１ｃ…押下不認識領域、１５２…非接触カードリーダ、１５２ａ…非接触カードリーダ領域、１５２ｂ…非接触カードアイコン、１５２ｃ…押下不認識領域、１５３…バーコードリーダ、１５３ａ…バーコードリーダ領域、１５３ｂ…バーコードアイコン、１５３ｃ…押下不認識領域、１６１…マップ情報、１６２…認証情報。
【図１】
2017097295.tif 000003
【図２】
2017097295.tif 000004
【図３】
2017097295.tif 000005
【図４】
2017097295.tif 000006
【図５】
2017097295.tif 000007
【図６】
2017097295.tif 000008